(57)【要約】  本開示の表示装置は、表示パネルと音発生部とを有する本体と、設置面に対して前記本体を背面側から支持するスタンドと、前記本体の下部に取り付けられ、前記設置面と前記本体との間に隙間が空くように前記本体を支持する受け部材とを備える。
2018123288.tif 000002
【特許請求の範囲】
【請求項１】
表示パネルと音発生部とを有する本体と、
設置面に対して前記本体を背面側から支持するスタンドと、
前記本体の下部に取り付けられ、前記設置面と前記本体との間に隙間が空くように前記本体を支持する受け部材と
を備える
表示装置。
【請求項２】
前記本体は、前記表示パネルに対して背面側に配置されたバックシャーシをさらに有し、
前記受け部材は、中間取り付け部材を介して前記バックシャーシに固定されている
請求項１に記載の表示装置。
【請求項３】
前記受け部材は、前記本体の中央領域下部に取り付けられている
請求項１に記載の表示装置。
【請求項４】
前記表示パネルに関わる複数の回路をさらに備え、
前記複数の回路が、前記本体の内部と前記スタンドの内部との双方に配置されている
請求項１に記載の表示装置。
【請求項５】
前記スタンドの下部に取り付けられ、前記スタンドの下方向に重量を付加する支持安定化部材、をさらに備える
請求項１に記載の表示装置。
【請求項６】
前記本体は、部分的に無線信号が通過可能な部材で構成された外枠をさらに有し、
前記本体の背面側において前記外枠の近傍に配置され、無線通信を行う通信回路部をさらに備える
請求項１に記載の表示装置。
【請求項７】
前記本体は、前記表示パネルと前記バックシャーシとの間に配置されると共に前記表示パネルに対して空間を空けて配置されたインナープレートをさらに有し、
前記音発生部は、前記インナープレートに取り付けられ、前記インナープレートと前記表示パネルとの間の空間を介して前記表示パネルを振動させて音を発生させる加振器を含む
請求項２に記載の表示装置。
【発明の詳細な説明】
【技術分野】
【０００１】
本開示は、表示装置に関する。
【背景技術】
【０００２】
テレビジョン用途等の表示装置では、表示部を含む本体の下部にスピーカーが配置されていることが多い。一般に、このような表示装置では、床面等の設置面に設置する場合、本体の下部にスタンドが取り付けられる。
【先行技術文献】
【特許文献】
【０００３】
【特許文献１】特開２０１２−２１５８８７号公報
【発明の概要】
【０００４】
一般に、表示装置にスタンドを取り付けた場合、本体下部と設置面との間には、ある程度の設置空間が生じる。設置空間があることで、スピーカーからの音を効果的に前側に発することを可能にしている。
【０００５】
本体下部の設置空間を少なくすることが可能な表示装置を提供することが望ましい。
【０００６】
本開示の一実施の形態に係る表示装置は、表示パネルと音発生部とを有する本体と、設置面に対して本体を背面側から支持するスタンドと、本体の下部に取り付けられ、設置面と本体との間に隙間が空くように本体を支持する受け部材とを備えたものである。
【０００７】
本開示の一実施の形態に係る表示装置では、本体の下部に取り付けられた受け部材によって、本体が支持される。
【０００８】
本開示の一実施の形態に係る表示装置によれば、本体の下部に受け部材を取り付けるようにしたので、本体下部の設置空間を少なくすることが可能となる。
なお、ここに記載された効果は必ずしも限定されるものではなく、本開示中に記載されたいずれかの効果であってもよい。
【図面の簡単な説明】
【０００９】
【図１】本開示の第１の実施の形態に係る表示装置の背面側の一構成例を簡略化して示す外観図である。
【図２】第１の実施の形態に係る表示装置の側方側の一構成例を示す側方図である。
【図３】第１の実施の形態に係る表示装置の背面側の一構成例を示す背面図である。
【図４】第１の実施の形態に係る表示装置におけるスタンドの下部に取り付けられる支持安定化部材の一構成例を示す構成図である。
【図５】第１の実施の形態に係る表示装置を壁に取り付けた場合の一構成例を示す側方図である。
【図６】第１の実施の形態に係る表示装置の本体の内部における回路部の一構成例を示す構成図である。
【図７】第１の実施の形態に係る表示装置のスタンドの内部における回路部の一構成例を示す構成図である。
【図８】第１の実施の形態に係る表示装置の本体の背面側の一構成例を示す背面図である。
【図９】図８のＡ−Ａ’線の断面構成例を示す断面図である。
【図１０】図９の中央領域下部の断面構成例を拡大して示す断面図である。
【図１１】図１０の断面構成例を簡略化して示す断面図である。
【図１２】第１の実施の形態に係る表示装置の本体における回路部の下部の一構成例を示す構成図である。
【図１３】図１２のＢ−Ｂ’線の断面構成例を示す断面図である。
【図１４】図１３の断面構成例を簡略化して示す断面図である。
【図１５】図１４の断面構成例に対応する比較例の断面構成例を示す断面図である。
【発明を実施するための形態】
【００１０】
以下、本開示の実施の形態について図面を参照して詳細に説明する。なお、説明は以下の順序で行う。
１．第１の実施の形態
１．１  表示装置の全体構成（図１〜図７）
１．２  本体の受け構造（図８〜図１１）
１．３  無線通信に対応する構造（図１２〜図１５）
１．４  効果
２．その他の実施の形態
【００１１】
＜１．第１の実施の形態＞
［１．１  表示装置の全体構成］
図１は、本開示の第１の実施の形態に係る表示装置１００の背面側の一構成例を簡略化して示している。図２は、表示装置１００の側方側の一構成例を示している。図３は、表示装置１００の背面側の一構成例を示している。
【００１２】
本実施の形態に係る表示装置は、本体１と、設置面９０に対して本体１を背面側から支持するスタンド２とを備えている。
【００１３】
本体１は、後述する図１０〜図１１に示す表示パネル１０を有している。表示パネル１０は、例えばＯＬＥＤ（Organic Light Emitting Diode）を用いた有機ＥＬディスプレイパネルである。
なお、本実施の形態において、表示パネル１０によって画像を表示する側を前側、表示パネル１０とは反対側を背面側とする。
【００１４】
本体１は、後述する図８〜図１１に示す受け構造を有し、後述する受け部材６０を介して床面等の設置面９０に対して直置きすることが可能な構成とされている。
【００１５】
本体１の背面の中央部には、水平方向に板状の補強部材３が設けられている。本体１の内部には、補強部材３が設けられた位置に対応する一部の領域に、図３に示したように、音を発生させるための加振器（アクチュエータ）３１Ｌ，３１Ｒが設けられている。なお、加振器３１Ｌ，３１Ｒを設ける位置は、図３に示した位置に限定されるものではない。ただし、加振器３１Ｌ，３１Ｒをステレオスピーカーとして機能させることを考慮し、前側から見て本体１の右側半分の領域における略中央部に加振器３１Ｒ、本体１の左側半分の領域における略中央部に加振器３１Ｌが設けられていることが好ましい。本体１の右側半分の領域における略中央部において、加振器３１Ｒは複数、設けられていてもよい。本体１の左側半分の領域における略中央部において、加振器３１Ｌは複数、設けられていてもよい。
【００１６】
スタンド２の下部には、下方向に重量を付加する支持安定化部材２１（重り）が取り付けられていてもよい。これにより、本体１を、設置面９０に直置きした場合の安定性を向上させることが可能となる。例えば、設置面９０が背面側に１５°程度傾斜した傾斜面であっても、本体１が転倒することのないように、設置の安定性を向上させることが可能となる。支持安定化部材２１は、図４に示したように嵌合部２２を有し、スタンド２の下部に対して着脱可能となっていてもよい。
【００１７】
スタンド２は、上部がヒンジ４によって本体１に対して開閉可能に取り付けられている。図１、および図２に示したように、本体１を設置面９０に対して直置きする場合には、スタンド２を本体１に対して開いた状態とする。一方、例えば、図５に示したように、表示装置１００を壁９１等に取り付ける場合には、スタンド２を本体１に対して閉じた状態とする。壁９１等に取り付ける場合には、例えば、壁取り付け部材５を介してスタンド２を壁面に取り付ける。壁９１等に取り付ける場合には、支持安定化部材２１はスタンド２から外した状態にしてもよい。
【００１８】
表示装置１００は、表示パネル１０に関わる複数の回路を備えている。複数の回路は、本体１の内部とスタンド２の内部との双方に分割されて配置されていることが好ましい。例えば、相対的に熱を発生しやすい回路（回路基板）をスタンド２側に配置することが好ましい。これにより、回路による表示パネル１０に対する熱の影響を低減できる。
【００１９】
図６は、本体１の内部における回路部４０の一構成例を示している。
回路部４０は、例えば、映像処理回路４１と、パネル制御回路４２とを有していてもよい。その他、回路部４０には加振器３１Ｌ，３１Ｒを駆動するための回路等が設けられていてもよい。なお、本体１の背面側には、回路部４０を覆うカバーが取り付けられていてもよい。
【００２０】
図７は、スタンド２の内部における回路部５０の一構成例を示している。
回路部５０は、例えば、電源回路５２と、映像処理回路５３とを有していてもよい。電源回路５２は、相対的に熱を発生しやすい回路（回路基板）であり、スタンド２側に配置することが好ましい。
【００２１】
また、スタンド２の内部において、例えば上部には、サブウーファ（ＳＷＦ）５１が設けられていてもよい。本体１の内部に設けられた加振器３１Ｌ，３１Ｒが中高音域を担い、サブウーファ５１が低音域を担うスピーカーとして機能させてもよい。
【００２２】
［１．２  本体の受け構造］
図８は、本体１の背面側の一構成例を示している。図９は、図８のＡ−Ａ’線の断面構成例を示している。図１０は、図９の中央領域下部２０の断面構成例を拡大して示している。図１１は、図１０の断面構成例を簡略化して示している。図１１では、説明上、必要とされる構成要素のみを簡略化して図示し、他の構成要素の図示を省略している。
なお、図８〜図１１では、本体１の背面側において、回路部４０を覆うカバーを省略した状態で図示している。
【００２３】
本体１は、前側から背面側へ向かって順に、表示パネル１０と、インナープレート１１と、背面ガラス１４と、バックシャーシ１２とを備えている。
【００２４】
また、本体１は、外枠であるベゼル１５を備えている。ベゼル１５は、例えば、主要部分がアルミ等の金属部材であることが好ましいが、後述する図１２〜図１４に示すように、部分的に樹脂部材であってもよい。表示パネル１０とインナープレート１１と背面ガラス１４は、ベゼル１５によって外周部分が挟持されている。
【００２５】
インナープレート１１とバックシャーシ１２は、放熱特性、熱拡散特性に優れた部材であることが好ましい。例えば、インナープレート１１とバックシャーシ１２は、アルミ等の金属部材であることが好ましい。
【００２６】
インナープレート１１は、図１３に示すように、表示パネル１０に対して空間１３を空けて配置されている。加振器３１Ｌ，３１Ｒは、音発生部の一部を構成している。加振器３１Ｌ，３１Ｒは、インナープレート１１に取り付けられ、インナープレート１１と表示パネル１０との間の空間１３を介して表示パネル１０を振動させて音を発生させるアクチュエータであってもよい。これにより、従来の一般的な表示装置では、本体１の下部の設置空間からスピーカーの音を前側に発しているのに対し、本実施の形態では、表示パネル１０自体から前側に音が発生する。すなわち、本実施の形態では、音を前側に発生させるために本体１の下部に設置空間を設ける必要がない構造とされている。
【００２７】
受け部材６０は、本体１の中央領域下部２０（図９）に取り付けられている。受け部材６０は、図１１に示したように、設置面９０と本体１との間に隙間６５が空くように、換言すれば、本体１の下部において、設置面９０に対して受け部材６０以外の部分が浮いた状態となるように、本体１を支持する。
【００２８】
受け部材６０は、本体１を設置面９０へ設置したときの衝撃を吸収しやすい素材であることが好ましい。受け部材６０は、例えばゴム足状のものであることが好ましい。
【００２９】
受け部材６０は、中間取り付け部材６３を介してバックシャーシ１２に固定されている。受け部材６０と中間取り付け部材６３は、固定部材としてのねじ６１で互いに固定されている。中間取り付け部材６３とバックシャーシ１２は、固定部材としてのねじ６２で互いに固定されている。さらに、ねじ６２は、スタッド６４に固定されている。ねじ６２とスタッド６４とによって、背面ガラス１４とバックシャーシ１２と中間取り付け部材６３とが接続されている。
【００３０】
このように、受け部材６０を衝撃を吸収しやすい素材とし、かつ、受け部材６０をねじ６１，６２と中間取り付け部材６３とを介してバックシャーシ１２に固定することで、本体１を設置面９０へ設置したときの衝撃が表示パネル１０に伝わりにくい構造とされている。
【００３１】
受け部材６０の底面は、例えば図１０に示したように、水平面９２に対して所定の傾斜角θで傾斜した形状であってもよい。これにより、本体１を水平面９２に対して傾斜させて配置にした場合の安定性を向上させることができる。
【００３２】
［１．３  無線通信に対応する構造］
図１２は、本体１における回路部４０の下部の一構成例を示している。図１３は、図１２のＢ−Ｂ’線の断面構成例を示している。図１４は、図１３の断面構成例を簡略化して示している。図１５は、図１４の断面構成例に対応する比較例の断面構成例を示している。図１４および図１５では、説明上、必要とされる構成要素のみを簡略化して図示し、他の構成要素の図示を省略している。
なお、図１２〜図１５では、本体１の背面側において、回路部４０を覆うカバーを省略した状態で図示している。
【００３３】
本体１における回路部４０には、無線通信を行う通信回路部７１，７２が設けられてもよい。通信回路部７１は、例えばＷｉ−Ｆｉ（登録商標）用の回路部であってもよい。通信回路部７２は、例えばBluetooth（ブルートゥース）（登録商標）用の回路部であってもよい。通信回路部７１，７２は、無線信号７３を送受信するためのアンテナ部を有している。
【００３４】
通信回路部７１，７２は、図１２〜図１４に示したように、本体１の背面側において外枠であるベゼル１５の近傍に配置されてもよい、この場合、ベゼル１５を、部分的に無線信号７３が通過可能な部材で構成することが好ましい。例えば、ベゼル１５の下部の中央領域を無線信号７３が通過可能な樹脂部材１５Ｂとし、その他のベゼル１５の主要な部分をアルミ部材１５Ａで構成してもよい。
【００３５】
そして、少なくとも、通信回路部７１，７２のアンテナ部が樹脂部材１５Ｂに対応する位置となるように、通信回路部７１，７２を配置してもよい。これにより、図１４に示したように、無線信号７３が樹脂部材１５Ｂを通過することで、本体１の前側に対して無線通信が可能となる。
【００３６】
ベゼル１５に樹脂部材１５Ｂによる構成領域を設けなかった場合、図１５に示したように、アルミ部材１５Ａによって無線信号７３が遮蔽されるので、本体１の前側に対して無線通信が困難となる。従来の一般的な表示装置では、本体１の下部に設置空間を設けることで、樹脂部材１５Ｂによる構成領域を設けることなく無線通信を行うことが可能になり得る。これに対して、本実施の形態では、樹脂部材１５Ｂによる構成領域を設けたことで、本体１の下部に設置空間を設けることなく、本体１の前側に対して無線通信が可能となる。
【００３７】
［１．４  効果］
以上のように、本実施の形態によれば、本体１の下部に受け部材６０を取り付けるようにしたので、本体下部の設置空間を少なくすることが可能となる。
【００３８】
なお、本明細書に記載された効果はあくまでも例示であって限定されるものではなく、また他の効果があってもよい。
【００３９】
＜２．その他の実施の形態＞
本開示による技術は、上記各実施の形態の説明に限定されず種々の変形実施が可能である。
【００４０】
例えば、本技術は以下のような構成を取ることもできる。
（１）
表示パネルと音発生部とを有する本体と、
設置面に対して前記本体を背面側から支持するスタンドと、
前記本体の下部に取り付けられ、前記設置面と前記本体との間に隙間が空くように前記本体を支持する受け部材と
を備える
表示装置。
（２）
前記本体は、前記表示パネルに対して背面側に配置されたバックシャーシをさらに有し、
前記受け部材は、中間取り付け部材を介して前記バックシャーシに固定されている
上記（１）に記載の表示装置。
（３）
前記受け部材は、前記本体の中央領域の下部に取り付けられている
上記（１）または（２）に記載の表示装置。
（４）
前記表示パネルに関わる複数の回路をさらに備え、
前記複数の回路が、前記本体の内部と前記スタンドの内部との双方に配置されている
上記（１）ないし（３）のいずれか１つに記載の表示装置。
（５）
前記スタンドの下部に取り付けられ、前記スタンドの下方向に重量を付加する支持安定化部材、をさらに備える
上記（１）ないし（４）のいずれか１つに記載の表示装置。
（６）
前記本体は、部分的に無線信号が通過可能な部材で構成された外枠をさらに有し、
前記本体の背面側において前記外枠の近傍に配置され、無線通信を行う通信回路部をさらに備える
上記（１）ないし（５）のいずれか１つに記載の表示装置。
（７）
前記本体は、前記表示パネルと前記バックシャーシとの間に配置されると共に前記表示パネルに対して空間を空けて配置されたインナープレートをさらに有し、
前記音発生部は、前記インナープレートに取り付けられ、前記インナープレートと前記表示パネルとの間の空間を介して前記表示パネルを振動させて音を発生させる加振器を含む
上記（２）に記載の表示装置。
【００４１】
本出願は、日本国特許庁において２０１６年１２月２７日に出願された日本特許出願番号第２０１６−２５３５８７号を基礎として優先権を主張するものであり、この出願のすべての内容を参照によって本出願に援用する。
【００４２】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2018123288.tif 000003
【図２】
2018123288.tif 000004
【図３】
2018123288.tif 000005
【図４】
2018123288.tif 000006
【図５】
2018123288.tif 000007
【図６】
2018123288.tif 000008
【図７】
2018123288.tif 000009
【図８】
2018123288.tif 000010
【図９】
2018123288.tif 000011
【図１０】
2018123288.tif 000012
【図１１】
2018123288.tif 000013
【図１２】
2018123288.tif 000014
【図１３】
2018123288.tif 000015
【図１４】
2018123288.tif 000016
【図１５】
2018123288.tif 000017
【国際調査報告】
2018123288.tif 000018
2018123288.tif 000019
2018123288.tif 000020
2018123288.tif 000021